(57)【要約】  無線リソースの利用効率を向上することを課題とする。この課題を解決するため、受信部２が、フレームが複数に分割されたそれぞれの区間であるサブフレームごとに送信された複数のデータを受信する。そして、信号生成部３が、受信部２による複数のデータそれぞれの受信が正常に完了したか否かを示す確認情報に、複数のデータそれぞれを特定するための特定情報を関連付けた通知信号を生成する。そして、送信部４は、信号生成部３によって生成された通知信号を同一のサブフレームで送信する。
2011111212.tif 000002
【特許請求の範囲】
【請求項１】
フレームが複数に分割されたそれぞれの区間であるサブフレームごとに送信された複数のデータを受信する受信部と、
前記受信部による複数のデータそれぞれの受信が正常に完了したか否かを示す確認情報に、前記複数のデータそれぞれを特定するための特定情報を関連付けた通知信号を生成する信号生成部と、
前記信号生成部によって生成された通知信号を同一のサブフレームで送信する送信部と、
を有することを特徴とする通信装置。
【請求項２】
前記信号生成部は、前記複数のデータが送信されたサブフレームと通知信号を送信するサブフレームとの差分に基づいた情報を前記特定情報として、前記確認情報に関連付けた通知信号を生成することを特徴とする請求項１に記載の通信装置。
【請求項３】
前記信号生成部は、前記複数のデータが送信されたサブフレームの前記フレームにおける位置を特定する情報を前記特定情報として、前記確認情報に関連付けた通知信号を生成することを特徴とする請求項１に記載の通信装置。
【請求項４】
前記信号生成部は、ＨＡＲＱプロセス番号を前記特定情報として、前記確認情報に関連付けた通知信号を生成することを特徴とする請求項１に記載の通信装置。
【請求項５】
通信装置における通信制御方法であって、
フレームが複数に分割されたそれぞれの区間であるサブフレームごとに送信された複数のデータを受信し、
前記複数のデータそれぞれの受信が正常に完了したか否かを示す確認情報に、前記複数のデータそれぞれを特定するための特定情報を関連付けた通知信号を生成し、
前記通知信号を同一のサブフレームで送信する、
ことを含む通信制御方法。
【請求項６】
複数の通信装置を有する無線通信システムであって、
前記複数の通信装置は、
フレームが複数に分割されたそれぞれの区間であるサブフレームごとに送信された複数のデータを受信する受信部と、
前記受信部による複数のデータそれぞれの受信が正常に完了したか否かを示す確認情報に、前記複数のデータそれぞれを特定するための特定情報を関連付けた通知信号を生成する信号生成部と、
前記信号生成部によって生成された通知信号を同一のサブフレームで送信する送信部と、を有し、
前記複数の通信装置のうち一の通信装置が、前記通知信号を送信し、
前記複数の通信装置のうち他の通信装置が、送信された前記通知信号に基づいて、前記複数のデータと前記確認情報とを関連付けて受信する、
ことを含む無線通信システム。
【請求項７】
フレームが複数に分割されたそれぞれの区間であるサブフレームごとに送信された複数のデータを受信する受信手順と、
前記受信手順による複数のデータそれぞれの受信が正常に完了したか否かを示す確認情報に、前記複数のデータそれぞれを特定するための特定情報を関連付けた通知信号を生成する信号生成手順と、
前記信号生成手順によって生成された通知信号を同一のサブフレームで送信する送信手順と、
をコンピュータに実行させることを特徴とする通信制御プログラム。
【発明の詳細な説明】
【技術分野】
【０００１】
この発明は、通信装置、通信制御方法、無線通信システム及び通信制御プログラムに関する。
【背景技術】
【０００２】
従来、データの転送が成功したか否かを通知するための信号として、ＡＣＫ（Acknowledgement）とＮＡＣＫ（Negative  Acknowledgement）とが用いられている。ＡＣＫは、データの転送が成功した場合に、送信先から送信元へと送信される信号であり、ＮＡＣＫは、データの転送が失敗した場合に、送信先から送信元へと送信される信号である。【０００３】
現在、３ＧＰＰ（3rd  Generation  Partnership  Project）では、高速なデータ通信を可能にするＬＴＥ（Long  Term  Evolution）に中継局等を導入した拡張システムであるＬＴＥ−Ａ（Advanced）が検討されている。基地局、中継局及び移動局を含む通信システムでは、各局間でデータが転送されるごとに、送信先から送信元へとＡＣＫ又はＮＡＣＫが送信される。例えば、中継局が、基地局からのデータ転送が成功したか否かを、ＡＣＫ又はＮＡＣＫを用いて基地局に通知する。データ転送に成功したかどうかは、データに付加される巡回符号チェック符号列を元にした巡回符号チェックにより行われる。
【先行技術文献】
【特許文献】
【０００４】
【特許文献１】特開２００７−１４３１３７号公報
【特許文献２】特開２００８−１７３４１号公報
【特許文献３】特開２００９−１１８４８９号公報
【発明の概要】
【発明が解決しようとする課題】
【０００５】
しかしながら、上述した従来技術では、無線リソースの利用効率が悪いという問題があった。具体的には、ＬＴＥにおいては、送信先から送信元へのＡＣＫ又はＮＡＣＫは、データが送信されたサブフレームから固定数後のサブフレームで送信される。従って、ＬＴＥにおいては、１つのサブフレームで１つのＡＣＫ又はＮＡＣＫを送信することとなり、その結果、無線リソースの利用効率が悪い。【０００６】
また、中継局では、基地局と通信するためのアンテナと、移動局と通信するためのアンテナとが近接しているために、中継局が送信した信号が、他局から中継局に対して送信された信号に対して干渉する。例えば、中継局が基地局に対して送信した信号が、移動局から中継局に対して送信された信号に対して干渉する。従って、中継局では、移動局から送信された信号の受信が正常に完了せず、移動局が信号を再送することとなる。その結果、無線リソースの利用効率が悪い。【０００７】
そこで、本開示の技術は、上述した従来技術の問題を鑑みて、無線リソースの利用効率を向上することが可能である通信装置、通信制御方法、無線通信システム及び通信制御プログラムを提供することを目的とする。
【課題を解決するための手段】
【０００８】
上述した課題を解決し、目的を達成するため、開示の装置は、受信部が、フレームが複数に分割されたそれぞれの区間であるサブフレームごとに送信された複数のデータを受信する。そして、信号生成部が、受信部による複数のデータそれぞれの受信が正常に完了したか否かを示す確認情報に、複数のデータそれぞれを特定するための特定情報を関連付けた通知信号を生成する。そして、送信部が、信号生成部によって生成された通知信号を同一のサブフレームで送信する。
【発明の効果】
【０００９】
開示の装置は、無線リソースの利用効率を向上することを可能にする。
【図面の簡単な説明】
【００１０】
【図１】図１は、実施例１に係る通信装置の構成を示す図である。
【図２】図２は、実施例２に係る中継局と基地局とを含む通信システムの一例を示す図である。
【図３】図３は、フレームを示す図である。
【図４】図４は、ダウンリンクバックホウルを示す図である。
【図５】図５は、実施例２に係る中継局の構成を示す図である。
【図６】図６は、実施例２に係るＡＣＫ／ＮＡＣＫ信号送信タイミング決定部を示す図である。
【図７】図７は、ＡＣＫ／ＮＡＣＫ信号パターン決定部を示す図である。
【図８】図８は、実施例２に係る中継局のＡＣＫ／ＮＡＣＫ信号生成部を示す図である。
【図９】図９は、実施例２に係る基地局の構成を示す図である。
【図１０】図１０は、実施例２に係る基地局のＡＣＫ／ＮＡＣＫ信号生成部を示す図である。
【図１１】図１１は、実施例２に係る中継局による処理の手順を示す図である。
【図１２】図１２は、中継局における干渉を示す図である。
【図１３】図１３は、実施例３に係る中継局の構成を示す図である。
【図１４】図１４は、実施例３に係る中継局のＡＣＫ／ＮＡＣＫ信号生成部を示す図である。
【図１５】図１５は、実施例３に係る基地局の構成を示す図である。
【図１６】図１６は、実施例３に係る中継局による処理の手順を示す図である。
【図１７】図１７は、変形例を示す図である。
【図１８】図１８は、実施例４に係る通信制御プログラムを実行するコンピュータを示す図である。
【発明を実施するための形態】
【００１１】
以下に添付図面を参照して、本願の開示する通信装置、通信制御方法、無線通信システム及び通信制御プログラムの実施例を詳細に説明する。なお、本願の開示する通信装置、通信制御方法、無線通信システム及び通信制御プログラムは、以下の実施例により限定されるものではない。
【実施例１】
【００１２】
まず、本実施例に係る通信装置の構成を説明する。図１は、実施例１に係る通信装置の構成を示す図である。図１に示すように、通信装置１は、受信部２と、信号生成部３と、送信部４とを有し、データの受信が正常に完了したか否かの確認信号を送信元に送信する。【００１３】
受信部２は、フレームが複数に分割されたそれぞれの区間であるサブフレームごとに送信された複数のデータを受信する。信号生成部３は、受信部２による複数のデータそれぞれの受信が正常に完了したか否かを示す確認情報に、複数のデータそれぞれを特定するための特定情報を関連付けた通知信号を生成する。送信部４は、信号生成部３によって生成された通知信号を同一のサブフレームで送信する。【００１４】
上述したように、実施例１に係る通信装置１は、受信したデータそれぞれを特定する情報を関連付けた通知信号を、データそれぞれに対して生成し、生成した通知信号を送信元に送信する。すなわち、実施例１に係る通信装置１は、送信元にどのデータに対する通知信号であるかを判定させることができる。従って、実施例１に係る通信装置１は、生成した複数の通知信号を同一のサブフレームで送信することができ、無線リソースの利用効率を向上することを可能にする。
【実施例２】
【００１５】
実施例２では、通信装置として中継局を用いる場合と、通信装置として基地局を用いる場合とを例に挙げて説明する。また、実施例２では、まず、中継局と基地局とを含む通信システムの一例を説明した後、実施例２に係る中継装置について説明する。その後、実施例２に係る基地局について説明する。図２は、実施例２に係る中継局と基地局とを含む通信システムの一例を示す図である。【００１６】
実施例２に係る中継局と基地局とを含む通信システムは、ＬＴＥに中継局を導入したＬＴＥ−Ａであり、図２に示すように、基地局１００と、中継局２００と、移動局３００とを有する。図２に示す領域Ｒ１は、基地局１００がカバーする電波の届く領域を示している。また、図２に示す領域Ｒ２は、中継局２００がカバーする電波の届く領域を示している。【００１７】
図２に示すように、基地局１００は、領域Ｒ１内に位置する中継局２００との間でデータを送受信する。また、図２に示すように、中継局２００は、領域Ｒ２内に位置する移動局３００との間でデータを送受信する。なお、基地局１００は、領域Ｒ１内に位置する移動局３００との間でデータを送受信する。ここで、ＬＴＥ−Ａにおいて基地局１００、中継局２００及び移動局３００それぞれの間でデータが送受信される際のフレームについて説明する。図３は、フレームを示す図である。【００１８】
図３においては、横方向が、時間軸を示している。また、図３に示す「１フレーム」とは、伝送基本単位を意味している。また、図３に示す「サブフレーム」とは、データを伝送する際の単位である。すなわち、基地局１００、中継局２００及び移動局３００は、サブフレーム単位でデータを送受信する。図３に示すように、基地局１００、中継局２００及び移動局３００は、１０ｍｓ（millisecond）のフレームを１０分割した「＃１」〜「＃１０」のサブフレームでデータを送受信する。【００１９】
図２に戻って、ＬＴＥ−Ａでは、基地局から中継局へのダウンリンクにおいて、データ転送が行われるサブフレームがＤＬ（Down  Link）backhaulと定義されている。また、ＬＴＥ−Ａでは、中継局から基地局へのアップリンクにおいて、データ転送が行われるサブフレームがＵＬ（Up  Link）backhaulと定義されている。なお、以下では、ＤＬ  backhaulをダウンリンクバックホウル、ＵＬ（Up  Link）backhaulをアップリンクバックホウルと記す場合がある。ここで、ダウンリンクバックホウルについて、図４を用いて説明する。図４は、ダウンリンクバックホウルを示す図である。【００２０】
図４においては、基地局において用いられるフレームと、中継局において用いられるフレームとを示している。また、図４に示す矢印は、各サブフレームからのデータ転送を示している。また、図４に示す「×」は、「×」が記された矢印のデータ転送が行われないことを意味している。すなわち、矢印に「×」が記されたサブフレームはダウンリンクバックホウルとして設定されないことを示している。【００２１】
基地局から中継局へのデータ転送に用いられるサブフレームには、移動局への共通制御信号などを送信するためのサブフレームがあり、ダウンリンクバックホウルとして設定されないサブフレームが含まれている。例えば、図４に示すように、「＃１」、「＃５」、「＃６」及び「＃１０」の４個のサブフレームが、共通制御信号などを送信するためのサブフレームであり、ダウンリンクバックホウルとして設定されない。従って、基地局から中継局へのダウンリンクでは、６個のサブフレームをダウンリンクバックホウルとして設定することとなる。【００２２】
一方、中継局から基地局へのアップリンクでは、図４に示すように、すべてのサブフレームがアップリンクバックホウルとして設定される。すなわち、中継局では、「＃１」〜「＃１０」のサブフレームでデータ転送を実行する。【００２３】
［実施例２に係る中継局の構成］
次に、実施例２に係る中継局の構成について説明する。図５は、実施例２に係る中継局２００の構成を示す図である。図５に示すように、中継局２００は、無線受信部２１０と、受信信号復号部２２０と、ＡＣＫ／ＮＡＣＫ信号送信タイミング決定部２３０と、ＡＣＫ／ＮＡＣＫ信号パターン決定部２４０と、ＡＣＫ／ＮＡＣＫ信号生成部２５０とを有する。また、図５に示すように、中継局２００は、バッファ２６０と、送信信号生成部２７０と、無線送信部２８０とを有し、基地局１００からのデータの受信が正常に完了したか否かのＡＣＫ／ＮＡＣＫ信号を基地局１００に送信する。【００２４】
なお、「ＡＣＫ／ＮＡＣＫ信号」は、「ＡＣＫ信号又はＮＡＣＫ信号」を意味している。すなわち、中継局２００は、基地局１００からのデータの受信が正常に完了した場合には、基地局１００に対してＡＣＫ信号を送信する。一方、基地局１００からのデータの受信が正常に完了しなかった場合には、中継局２００は、基地局１００に対してＮＡＣＫ信号を送信する。【００２５】
バッファ２６０以外の各部は、例えば、ＡＳＩＣ（Application  Specific  Integrated  Circuit）やＦＰＧＡ（Field  Programmable  Gate  Array）などの集積回路である。あるいは、バッファ２６０以外の各部は、例えば、ＣＰＵ（Central  Processing  Unit）やＭＰＵ（Micro  Processing  Unit）などの電子回路である。バッファ２６０は、例えば、ＲＡＭ（Random  Access  Memory）、ＲＯＭ（Read  Only  Memory）、フラッシュメモリ（Flash  Memory）などの半導体メモリ素子、または、ハードディスク、光ディスクなどの記憶装置である。【００２６】
無線受信部２１０は、フレームが複数に分割されたそれぞれの区間であるサブフレームごとに送信された複数のデータを受信する。具体的には、無線受信部２１０は、基地局１００によってサブフレームごとに送信された複数のデータ信号を受信する。例えば、無線受信部２１０は、基地局１００が図４に示すサブフレーム「＃２」及び「＃３」で送信したデータ信号を受信する。【００２７】
受信信号復号部２２０は、無線受信部２１０によって受信されたデータ信号を復号する。例えば、受信信号復号部２２０は、無線受信部２１０がサブフレーム「＃２」及び「＃３」で受信したデータ信号を復号する。【００２８】
ＡＣＫ／ＮＡＣＫ信号送信タイミング決定部２３０は、無線受信部２１０によって受信されたデータ信号それぞれに対するＡＣＫ／ＮＡＣＫ信号を送信するタイミングを決定する。図６は、ＡＣＫ／ＮＡＣＫ信号送信タイミング決定部２３０を示す図である。図６では、基地局１００において用いられるフレームと、中継局２００において用いられるフレームとを示している。また、図６に示す基地局１００から中継局２００への矢印は、データ信号の送信を示している。また、図６に示す中継局２００から基地局１００への矢印は、ＡＣＫ／ＮＡＣＫ信号の送信を示している。【００２９】
例えば、ＡＣＫ／ＮＡＣＫ信号送信タイミング決定部２３０は、図６に示すように、基地局１００によってサブフレーム「＃２」で送信されたデータ信号に対するＡＣＫ／ＮＡＣＫ信号を、サブフレーム「＃６」〜「＃９」のいずれかで送信することを決定する。例えば、ＡＣＫ／ＮＡＣＫ信号送信タイミング決定部２３０は、無線受信部２１０がサブフレーム「＃２」で受信したデータ信号に対するＡＣＫ／ＮＡＣＫ信号をサブフレーム「＃７」で送信することを決定する。同様に、ＡＣＫ／ＮＡＣＫ信号送信タイミング決定部２３０は、無線受信部２１０がサブフレーム「＃３」で受信したデータ信号に対するＡＣＫ／ＮＡＣＫ信号をサブフレーム「＃６」〜「＃９」の中からサブフレーム「＃７」で送信することを決定する。【００３０】
また、ＡＣＫ／ＮＡＣＫ信号送信タイミング決定部２３０は、後述するバッファ２６０によって記憶された基地局１００向けのデータの送信タイミングを決定する。例えば、ＡＣＫ／ＮＡＣＫ信号送信タイミング決定部２３０は、基地局１００向けのデータをサブフレーム「＃５」で送信することを決定する。【００３１】
図５に戻って、ＡＣＫ／ＮＡＣＫ信号パターン決定部２４０は、複数のデータが送信されたサブフレームと通知信号を送信するサブフレームとの差分に基づいた情報を決定する。具体的には、ＡＣＫ／ＮＡＣＫ信号パターン決定部２４０は、受信信号復号部２２０による復号結果と、データが送信されたサブフレームと、ＡＣＫ／ＮＡＣＫ信号を送信するサブフレームとに基づいて、ＡＣＫ／ＮＡＣＫ信号を識別するための識別情報を決定する。【００３２】
図７は、ＡＣＫ／ＮＡＣＫ信号パターン決定部２４０を示す図である。図７に示す「サブフレーム」とは、データ信号が送信されたサブフレームと、ＡＣＫ／ＮＡＣＫ信号送信タイミング決定部２３０によって決定されたＡＣＫ／ＮＡＣＫ信号を送信するサブフレームとの差分のサブフレーム数を意味している。また、図７に示す「信号」とは、送信元に送信する信号を意味している。また、図７に示す「識別情報」とは、どのデータに対するＡＣＫ／ＮＡＣＫ信号かを識別するための情報を意味している。【００３３】
ＡＣＫ／ＮＡＣＫ信号パターン決定部２４０は、図７に示すように、データ信号が送信されたサブフレームから「４サブフレーム」後に「ＡＣＫ信号」を送信する場合には、「識別情報」を「１００」と決定する。また、ＡＣＫ／ＮＡＣＫ信号パターン決定部２４０は、図７に示すように、データ信号が送信されたサブフレームから「４サブフレーム」後に「ＮＡＣＫ信号」を送信する場合には、「識別情報」を「０００」と決定する。同様に、ＡＣＫ／ＮＡＣＫ信号パターン決定部２４０は、図７に示すように、「５サブフレーム」後〜「７サブフレーム」後で送信される「ＡＣＫ／ＮＡＣＫ信号」それぞれに対する「識別情報」を決定する。【００３４】
例えば、ＡＣＫ／ＮＡＣＫ信号パターン決定部２４０は、サブフレーム「＃２」で受信したデータ信号に対するＡＣＫ信号をサブフレーム「＃７」で送信する場合には、「識別情報」を「１０１」と決定する。また、ＡＣＫ／ＮＡＣＫ信号パターン決定部２４０は、サブフレーム「＃３」で受信したデータ信号に対するＡＣＫ信号をサブフレーム「＃７」で送信する場合には、「識別情報」を「１００」と決定する。【００３５】
図５に戻って、ＡＣＫ／ＮＡＣＫ信号生成部２５０は、無線受信部２１０による複数のデータそれぞれの受信が正常に完了したか否かを示す確認情報に、複数のデータそれぞれを特定するための特定情報を関連付けた通知信号を生成する。また、ＡＣＫ／ＮＡＣＫ信号生成部２５０は、複数のデータが送信されたサブフレームと通知信号を送信するサブフレームとの差分に基づいた情報を特定情報として、確認情報に関連付けた通知信号を生成する。具体的には、ＡＣＫ／ＮＡＣＫ信号生成部２５０は、ＡＣＫ／ＮＡＣＫ信号パターン決定部２４０によって決定された識別情報に基づいて、ＡＣＫ／ＮＡＣＫ信号を生成する。【００３６】
図８は、実施例２に係る中継局２００のＡＣＫ／ＮＡＣＫ信号生成部２５０を示す図である。図８では、基地局１００において用いられるフレームと、中継局２００において用いられるフレームとを示している。また、図８に示す基地局１００から中継局２００への矢印は、データ信号の送信を示している。また、図８に示す中継局２００から基地局１００への矢印は、ＡＣＫ信号の送信を示している。【００３７】
例えば、ＡＣＫ／ＮＡＣＫ信号生成部２５０は、図８に示すように、サブフレーム「＃２」で送信された「ｄａｔａ１」に対するＡＣＫ信号として、「ＡＣＫ（１０１）」を生成する。また、ＡＣＫ／ＮＡＣＫ信号生成部２５０は、図８に示すように、サブフレーム「＃３」で送信された「ｄａｔａ２」に対するＡＣＫ信号として、「ＡＣＫ（１００）」を生成する。【００３８】
図５に戻って、バッファ２６０は、移動局３００から受信した基地局１００向けのデータと、ＡＣＫ／ＮＡＣＫ信号生成部２５０によって生成されたＡＣＫ信号又はＮＡＣＫ信号を記憶する。送信信号生成部２７０は、ＡＣＫ／ＮＡＣＫ信号送信タイミング決定部２３０によって決定された送信タイミングに基づいて、バッファ２６０によって記憶されたＡＣＫ／ＮＡＣＫ信号又は基地局１００向けデータ信号を送信する送信信号を生成する。例えば、送信信号生成部２７０は、「ＡＣＫ（１０１）」及び「ＡＣＫ（１００）」をサブフレーム「＃７」で送信する送信信号を生成する。【００３９】
無線送信部２８０は、送信信号生成部２７０によって生成された送信信号を基地局１００に対して送信する。例えば、無線送信部２８０は、「ＡＣＫ（１０１）」及び「ＡＣＫ（１００）」をサブフレーム「＃７」で送信する送信信号を基地局１００に対して送信する。【００４０】
基地局１００は、中継局２００によって送信された通知信号に基づいて、複数のデータと確認情報とを関連付けて受信する。具体的には、基地局１００は、中継局２００から送信された送信信号に関連付けられている特定情報に基づいて、自装置が中継局２００に送信したデータそれぞれに対する確認情報を受信する。例えば、基地局１００は、中継局２００によってサブフレーム「＃７」で送信された「ＡＣＫ（１０１）」及び「ＡＣＫ（１００）」の識別情報「１０１」と「１００」とから、どのデータに対するＡＣＫ信号であるかを識別する。【００４１】
すなわち、基地局１００は、識別信号が「１０１」であることから、「ＡＣＫ（１０１）」が、サブフレーム「＃７」の５サブフレーム前であるサブフレーム「＃２」で送信した「ｄａｔａ１」に対するＡＣＫ信号であることを識別する。また、基地局１００は、識別信号が「１００」であることから、「ＡＣＫ（１００）」が、サブフレーム「＃７」の４サブフレーム前であるサブフレーム「＃３」で送信した「ｄａｔａ２」に対するＡＣＫ信号であることを識別する。【００４２】
［実施例２に係る基地局の構成］
次に、実施例２に係る基地局の構成について説明する。図９は、実施例２に係る基地局１００の構成を示す図である。図９に示すように、基地局１００は、無線受信部１１０と、受信信号復号部１２０と、ＡＣＫ／ＮＡＣＫ信号送信タイミング決定部１３０と、ＡＣＫ／ＮＡＣＫ信号パターン決定部１４０と、ＡＣＫ／ＮＡＣＫ信号生成部１５０とを有する。また、図９に示すように、基地局１００は、送信信号生成部１６０と、無線送信部１７０とを有し、中継局２００からのデータの受信が正常に完了したか否かのＡＣＫ／ＮＡＣＫ信号を中継局２００に送信する。【００４３】
上記各部は、例えば、ＡＳＩＣ（Application  Specific  Integrated  Circuit）やＦＰＧＡ（Field  Programmable  Gate  Array）などの集積回路、または、ＣＰＵ（Central  Processing  Unit）やＭＰＵ（Micro  Processing  Unit）などの電子回路である。【００４４】
無線受信部１１０は、中継局２００によってサブフレームごとに送信された複数のデータ信号を受信する。受信信号復号部１２０は、受信信号復号部２２０と同様の処理を実行する。ＡＣＫ／ＮＡＣＫ信号送信タイミング決定部１３０は、ＡＣＫ／ＮＡＣＫ信号送信タイミング決定部２３０と同様の処理を実行する。ＡＣＫ／ＮＡＣＫ信号パターン決定部１４０は、ＡＣＫ／ＮＡＣＫ信号パターン決定部２４０と同様の処理を実行する。【００４５】
ＡＣＫ／ＮＡＣＫ信号生成部１５０は、ＡＣＫ／ＮＡＣＫ信号生成部２５０と同様の処理を実行する。すなわち、ＡＣＫ／ＮＡＣＫ信号生成部１５０は、ＡＣＫ／ＮＡＣＫ信号パターン決定部１４０によって決定された識別情報に基づいて、ＡＣＫ／ＮＡＣＫ信号を生成する。【００４６】
図１０は、実施例２に係る基地局１００のＡＣＫ／ＮＡＣＫ信号生成部１５０を示す図である。図１０では、基地局１００において用いられるフレームと、中継局２００において用いられるフレームとを示している。また、図１０に示す中継局２００から基地局１００への矢印は、データ信号の送信を示している。また、図１０に示す基地局１００から中継局２００への矢印は、ＡＣＫ／ＮＡＣＫ信号の送信を示している。【００４７】
例えば、ＡＣＫ／ＮＡＣＫ信号生成部１５０は、図１０に示すように、サブフレーム「＃１」で送信された「ｄａｔａ３」に対するＡＣＫ／ＮＡＣＫ信号として、「ＡＣＫ／ＮＡＣＫ（ｄａｔａ３）」を生成する。また、ＡＣＫ／ＮＡＣＫ信号生成部１５０は、図１０に示すように、サブフレーム「＃２」で送信された「ｄａｔａ４」に対するＡＣＫ信号として、「ＡＣＫ／ＮＡＣＫ（ｄａｔａ４）」を生成する。また、ＡＣＫ／ＮＡＣＫ信号生成部１５０は、図１０に示すように、サブフレーム「＃３」で送信された「ｄａｔａ５」に対するＡＣＫ信号として、「ＡＣＫ／ＮＡＣＫ（ｄａｔａ５）」を生成する。【００４８】
図９に戻って、送信信号生成部１６０は、中継局向けのデータ信号と、ＡＣＫ／ＮＡＣＫ信号生成部１５０によって生成されたＡＣＫ／ＮＡＣＫ信号とを中継局２００に送信するための送信信号を生成する。無線送信部１７０は、送信信号生成部１６０によって生成された送信信号を中継局２００に対して送信する。例えば、無線送信部１７０は、図１０に示すように、「ＡＣＫ／ＮＡＣＫ（ｄａｔａ３）」、「ＡＣＫ／ＮＡＣＫ（ｄａｔａ４）」及び「ＡＣＫ／ＮＡＣＫ（ｄａｔａ５）」をサブフレーム「＃６」で送信する送信信号を中継局２００に送信する。【００４９】
中継局２００は、基地局１００によって送信された「ＡＣＫ／ＮＡＣＫ（ｄａｔａ３）」、「ＡＣＫ／ＮＡＣＫ（ｄａｔａ４）」及び「ＡＣＫ／ＮＡＣＫ（ｄａｔａ５）」の識別情報から、どのデータに対するＡＣＫ／ＮＡＣＫ信号であるかを識別する。【００５０】
次に、実施例２に係る基地局１００及び中継局２００による処理の手順を説明する。なお、実施例２に係る基地局１００及び中継局２００による処理の手順が同様であることから、以下では、実施例２に係る中継局２００の処理の手順を説明し、実施例２に係る基地局１００による処理の手順の説明を省略する。【００５１】
［実施例２に係る中継局による処理の手順］
図１１は、実施例２に係る中継局による処理の手順を示す図である。図１１に示すように、実施例２に係る中継局２００では、基地局１００からデータを受信すると（ステップＳ１０１肯定）、ＡＣＫ／ＮＡＣＫ信号パターン決定部２４０が、データそれぞれに対するＡＣＫ／ＮＡＣＫ信号の識別情報を決定する（ステップＳ１０２）。具体的には、ＡＣＫ／ＮＡＣＫ信号パターン決定部２４０は、受信信号復号部２２０による復号結果及びデータが送信されたサブフレームの情報と、ＡＣＫ／ＮＡＣＫ信号送信タイミング決定部２３０によって決定されたタイミングとから識別情報を決定する。【００５２】
そして、ＡＣＫ／ＮＡＣＫ信号生成部２５０が、データそれぞれに対するＡＣＫ／ＮＡＣＫ信号を生成する（ステップＳ１０３）。具体的には、ＡＣＫ／ＮＡＣＫ信号生成部２５０は、ＡＣＫ／ＮＡＣＫ信号パターン決定部２４０によって決定された識別情報に基づいて、データそれぞれに対するＡＣＫ／ＮＡＣＫ信号を生成する。【００５３】
その後、送信タイミングに達すると（ステップＳ１０４肯定）、送信信号生成部２７０がデータそれぞれに対するＡＣＫ／ＮＡＣＫ信号を同一サブフレームにまとめた送信信号を生成する（ステップＳ１０５）。そして、無線送信部２８０が、生成された送信信号を基地局１００に対して送信して（ステップＳ１０６）、処理を終了する。【００５４】
なお、実施例２に係る中継局２００は、データが受信されるまで待機状態である（ステップＳ１０１否定）。また、実施例２に係る中継局２００は、送信のタイミングに達するまで待機状態である（ステップＳ１０４否定）。【００５５】
［実施例２の効果］
上述したように、実施例２によれば、中継局２００においては、無線受信部２１０が、フレームが複数に分割されたそれぞれの区間であるサブフレームごとに送信された複数のデータを受信する。そして、ＡＣＫ／ＮＡＣＫ信号生成部２５０が、無線受信部２１０による複数のデータそれぞれの受信が正常に完了したか否かを示す確認情報に、複数のデータそれぞれを特定するための特定情報を関連付けた通知信号を生成する。そして、無線送信部２８０は、ＡＣＫ／ＮＡＣＫ信号生成部２５０によって生成された通知信号を同一のサブフレームで送信する。従って、実施例２に係る中継局２００は、生成した複数のＡＣＫ／ＮＡＣＫ信号を同一のサブフレームで送信することができ、無線リソースの利用効率を向上することを可能にする。【００５６】
また、実施例２によれば、中継局２００においては、ＡＣＫ／ＮＡＣＫ信号生成部２５０が、複数のデータが送信されたサブフレームと通知信号を送信するサブフレームとの差分に基づいた情報を特定情報として、確認情報に関連付けた通知信号を生成する。従って、実施例２に係る中継局２００は、既存の通信システムを用いて容易に無線リソースの利用効率を向上することを可能にする。【００５７】
例えば、中継局２００においては、複数のデータに対するＡＣＫ／ＮＡＣＫ信号を同一のサブフレームでまとめて送信することにより、中継局が基地局に対して送信した信号による干渉の発生頻度を低減することができる。図１２は、中継局２００における干渉を示す図である。図１２では、基地局１００と、中継局２００と、移動局３００との間で送受信されるデータ信号及びＡＣＫ／ＮＡＣＫ信号を示している。【００５８】
図１２に示すように、中継局２００では、基地局１００からのｄａｔａ信号に対するＡＣＫ／ＮＡＣＫ信号が、移動局３００からのｄａｔａ信号に対して干渉する。同様に、図１２に示すように、中継局２００では、基地局１００からのｄａｔａ信号に対するＡＣＫ／ＮＡＣＫ信号及び基地局１００へのｄａｔａ信号が、移動局３００からのｄａｔａ信号に対して干渉する。【００５９】
しかしながら、実施例２に係る中継局２００では、複数のデータ信号に対するＡＣＫ／ＮＡＣＫ信号をまとめて送信することができ、例えば、図１２に示す２回の干渉を１回に低減することができる。【００６０】
また、実施例２によれば、基地局１００においては、無線受信部１１０が、フレームが複数に分割されたそれぞれの区間であるサブフレームごとに送信された複数のデータを受信する。そして、ＡＣＫ／ＮＡＣＫ信号生成部１５０が、無線受信部１１０による複数のデータそれぞれの受信が正常に完了したか否かを示す確認情報に、複数のデータそれぞれを特定するための特定情報を関連付けた通知信号を生成する。そして、無線送信部１７０は、ＡＣＫ／ＮＡＣＫ信号生成部１５０によって生成された通知信号を同一のサブフレームで送信する。従って、実施例２に係る基地局１００は、生成した複数のＡＣＫ／ＮＡＣＫ信号を同一のサブフレームで送信することができ、無線リソースの利用効率を向上することを可能にする。【００６１】
また、実施例２によれば、基地局１００においては、ＡＣＫ／ＮＡＣＫ信号生成部１５０が、複数のデータが送信されたサブフレームと通知信号を送信するサブフレームとの差分に基づいた情報を特定情報として、確認情報に関連付けた通知信号を生成する。従って、実施例２に係る基地局１００は、既存の通信システムを用いて容易に無線リソースの利用効率を向上することを可能にする。【００６２】
例えば、基地局１００では、ダウンリンクバックホウルとして設定されないサブフレームの間を待機して、ダウンリンクバックホウルとして設定されるサブフレームでＡＣＫ／ＮＡＣＫ信号をまとめて送信することができる。
【実施例３】
【００６３】
上記実施例２では、送信されたデータ信号を特定する情報として、データ信号が送信されたサブフレームを用いる場合について説明した。実施例３では、送信されたデータ信号を特定する情報として、ＨＡＲＱ（Hybrid  Automatic  reQuest）プロセス番号を用いる場合について説明する。【００６４】
［実施例３に係る中継局の構成］
まず、実施例３に係る中継局の構成について説明する。図１３は、実施例３に係る中継局２００ａの構成を示す図である。実施例３に係る中継局２００ａは、図１３に示すように、実施例２に係る中継局２００と比較して、受信信号復号部２２０ａ及びＡＣＫ／ＮＡＣＫ信号生成部２５０ａの処理内容が、実施例２と異なる。以下、これらを中心に説明する。【００６５】
受信信号復号部２２０ａは、無線受信部２１０によって受信された複数のデータ信号を復号するとともに、データ信号それぞれに付随する制御信号に含まれるＨＡＲＱプロセス番号を取得する。なお、ＨＡＲＱプロセス番号とは、ＨＡＲＱを用いる際に、データ信号に割当てられる特定の論理チャネルを意味している。【００６６】
ＡＣＫ／ＮＡＣＫ信号生成部２５０ａは、ＨＡＲＱプロセス番号を特定情報として、確認情報に関連付けた通知信号を生成する。具体的には、ＡＣＫ／ＮＡＣＫ信号生成部２５０ａは、受信信号復号部２２０ａによって取得された複数のデータ信号それぞれのＨＡＲＱプロセス番号を付加したＡＣＫ／ＮＡＣＫ信号を、複数のデータ信号それぞれに対して生成する。【００６７】
図１４は、実施例３に係る中継局２００ａのＡＣＫ／ＮＡＣＫ信号生成部２５０ａを示す図である。図１４では、基地局１００ａにおいて用いられるフレームと、中継局２００ａにおいて用いられるフレームとを示している。また、図１４に示す基地局１００ａから中継局２００ａへの矢印は、データ信号の送信を示している。また、図１４に示す中継局２００ａから基地局１００ａへの矢印は、ＡＣＫ信号の送信を示している。【００６８】
例えば、ＡＣＫ／ＮＡＣＫ信号生成部２５０ａは、図１４に示すように、サブフレーム「＃２」で送信された「ｄａｔａ６」に対するＡＣＫ信号として、「ＡＣＫ（ｄａｔａ６ＨＡＲＱプロセス番号）」を生成する。また、ＡＣＫ／ＮＡＣＫ信号生成部２５０ａは、図１４に示すように、サブフレーム「＃４」で送信された「ｄａｔａ７」に対するＡＣＫ信号として、「ＡＣＫ（ｄａｔａ７ＨＡＲＱプロセス番号）」を生成する。なお、「ＡＣＫ（ｄａｔａ６ＨＡＲＱプロセス番号）」は、ｄａｔａ６ＨＡＲＱプロセス番号が付加されたＡＣＫ信号を示している。また、「ＡＣＫ（ｄａｔａ７ＨＡＲＱプロセス番号）」は、ｄａｔａ７ＨＡＲＱプロセス番号が付加されたＡＣＫ信号を示している。【００６９】
［実施例３に係る基地局の構成］
次に、実施例３に係る基地局の構成について説明する。図１５は、実施例３に係る基地局１００ａの構成を示す図である。実施例３に係る基地局１００ａは、図１５に示すように、実施例２に係る基地局１００と比較して、受信信号復号部１２０ａ及びＡＣＫ／ＮＡＣＫ信号生成部１５０ａの処理内容が、実施例２と異なる。以下、これらを中心に説明する。【００７０】
受信信号復号部１２０ａは、受信信号復号部２２０ａと同様の処理を実行する。ＡＣＫ／ＮＡＣＫ信号生成部１５０ａは、ＡＣＫ／ＮＡＣＫ信号生成部２５０ａと同様の処理を実行する。【００７１】
そして、実施例３に係る基地局１００ａ及び中継局２００ａは、送信信号に関連付けられたＨＡＲＱプロセス番号に基づいて、どのデータに対するＡＣＫ／ＮＡＣＫ信号であるかを識別する。【００７２】
次に、実施例３に係る基地局１００ａ及び中継局２００ａによる処理の手順を説明する。なお、実施例３に係る基地局１００ａ及び中継局２００ａによる処理の手順が同様であることから、以下では、実施例３に係る中継局２００ａの処理の手順を説明し、実施例３に係る基地局１００ａによる処理の手順の説明を省略する。【００７３】
［実施例３に係る中継局による処理の手順］
図１６は、実施例３に係る中継局による処理の手順を示す図である。図１６に示すように、実施例３に係る中継局２００ａにおいては、基地局１００ａからデータを受信すると（ステップＳ２０１肯定）、受信信号復号部２２０ａが、データ信号それぞれのＨＡＲＱプロセス番号を取得する（ステップＳ２０２）。【００７４】
そして、ＡＣＫ／ＮＡＣＫ信号生成部２５０ａが、データそれぞれに対してＨＡＲＱプロセス番号を付加したＡＣＫ／ＮＡＣＫ信号を生成する（ステップＳ２０３）。ここで、送信タイミングに達すると（ステップＳ２０４肯定）、送信信号生成部２７０がデータそれぞれに対するＡＣＫ／ＮＡＣＫ信号を同一サブフレームにまとめた送信信号を生成する（ステップＳ２０５）。その後、無線送信部２８０が、生成された送信信号を基地局１００ａに対して送信して（ステップＳ２０６）、処理を終了する。【００７５】
なお、実施例３に係る中継局２００ａは、データが受信されるまで待機状態である（ステップＳ２０１否定）。また、実施例３に係る中継局２００ａは、送信のタイミングに達するまで待機状態である（ステップＳ２０４否定）。【００７６】
［実施例３の効果］
上記実施例３によれば、中継局２００ａにおいて、ＡＣＫ／ＮＡＣＫ信号生成部２５０ａが、ＨＡＲＱプロセス番号を前記特定情報として、前記確認情報に関連付けた通知信号を生成する。従って、実施例３に係る中継局２００ａは、ＡＣＫ／ＮＡＣＫ信号パターン決定部２４０による処理を実行することなく、無線リソースの利用効率を向上することを可能にする。すなわち、中継局２００ａは、自装置内の処理装置の実装面積を縮小し、小型化することが可能となる。【００７７】
上記実施例３によれば、基地局１００ａにおいて、ＡＣＫ／ＮＡＣＫ信号生成部１５０ａが、ＨＡＲＱプロセス番号を前記特定情報として、前記確認情報に関連付けた通知信号を生成する。従って、実施例３に係る基地局１００ａは、ＡＣＫ／ＮＡＣＫ信号パターン決定部１４０による処理を実行することなく、無線リソースの利用効率を向上することを可能にする。すなわち、基地局１００ａは、自装置内の処理装置の実装面積を縮小し、小型化することが可能となる。
【実施例４】
【００７８】
さて、これまで実施例１〜３について説明したが、上述した実施例１〜３以外にも、種々の異なる形態にて実施されてよいものである。そこで、以下では、種々の異なる実施例を（１）〜（４）に区分けして説明する。【００７９】
（１）変形例
上記実施例２では、基地局１００及び中継局２００において、ＡＣＫ／ＮＡＣＫ信号生成部が、データが送信されたサブフレームと、ＡＣＫ／ＮＡＣＫ信号を送信するサブフレームとの差分を用いてＡＣＫ／ＮＡＣＫ信号を生成する場合について説明した。しかしながら、本実施例はこれに限定するものではなく、ＡＣＫ／ＮＡＣＫ信号生成部が、複数のデータが送信されたサブフレームのフレームにおける位置を特定する情報を特定情報として、確認情報に関連付けた通知信号を生成してもよい。例えば、データ信号を送信したサブフレームの番号を用いる場合であってもよい。【００８０】
図１７は、変形例を示す図である。図１７では、基地局において用いられるフレームと、中継局において用いられるフレームとを示している。また、図１７に示す基地局１００から中継局２００への矢印は、データ信号の送信を示している。また、図１７に示す中継局２００から基地局１００への矢印は、ＡＣＫ信号の送信を示している。【００８１】
例えば、ＡＣＫ／ＮＡＣＫ信号生成部２５０は、図１７に示すように、サブフレーム「＃２」で送信された「ｄａｔａ１」に対するＡＣＫ信号として、「ＡＣＫ（サブフレーム番号＃２）」を生成する。また、ＡＣＫ／ＮＡＣＫ信号生成部２５０は、図１７に示すように、サブフレーム「＃３」で送信された「ｄａｔａ２」に対するＡＣＫ信号として、「ＡＣＫ（サブフレーム番号＃３）」を生成する。なお、「ＡＣＫ（サブフレーム番号＃２）」は、サブフレーム番号＃２が付加されたＡＣＫ信号を示している。また、「ＡＣＫ（サブフレーム番号＃３）」は、サブフレーム番号＃３が付加されたＡＣＫ信号を示している。そして、基地局１００は、サブフレーム番号に基づいて、どのデータに対するＡＣＫ信号であるかを識別する。【００８２】
上記変形例は、基地局１００においても適応することができ、基地局１００では、ＡＣＫ／ＮＡＣＫ信号生成部１５０が、データ信号を送信したサブフレームの番号を付加したＡＣＫ／ＮＡＣＫ信号を生成する。【００８３】
上記変形例によれば、ＡＣＫ／ＮＡＣＫ信号生成部２５０及びＡＣＫ／ＮＡＣＫ信号生成部１５０は、複数のデータが送信されたサブフレームの番号を付加したＡＣＫ／ＮＡＣＫ信号を生成する。従って、本実施例の通信装置は、データ信号を送信したサブフレームと、ＡＣＫ／ＮＡＣＫ信号を送信するサブフレームとの差分を算出する処理を省略することができ、ＡＣＫ／ＮＡＣＫ信号生成に係る処理負荷を低減することができる。【００８４】
（２）通信装置
上記実施例２〜３及び変形例では、通信装置として基地局及び中継局を用いる場合について説明したが、本実施例はこれに限定されるものではなく、例えば、移動局を用いる場合であってもよい。【００８５】
（３）システム構成等
図示した各装置の各構成要素は機能概念的なものであり、必ずしも物理的に図示された構成要素と同一であることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図５に示すＡＣＫ／ＮＡＣＫ信号パターン決定部２４０とＡＣＫ／ＮＡＣＫ信号生成部２５０とを一つの信号生成部として統合してもよい。また、一方で、図１３に示す受信信号復号部２２０ａを、受信信号を復号する復号部と、ＨＡＲＱプロセス番号を取得する取得部とに分散してもよい。【００８６】
（４）通信制御プログラム
ところで、上記実施例１では、ハードウェアロジックによって各種の処理を実現する場合を説明したが、本実施例はこれに限定されるものではなく、予め用意されたプログラムをコンピュータで実行するようにしてもよい。そこで、以下では、図１８を用いて上記実施例１に示した通信装置１と同様の機能を有する通信制御プログラムを実行するコンピュータの一例を説明する。図１８は、実施例４に係る通信制御プログラムを実行するコンピュータを示す図である。【００８７】
図１８に示すように、情報処理装置としてのコンピュータ１０００は、キーボード１０２０、モニタ１０３０、ＲＡＭ１０４０、ＨＤＤ１０５０、ＣＰＵ１０６０およびＲＯＭ１０７０を有する。そして、キーボード１０２０、モニタ１０３０、ＲＡＭ１０４０、ＨＤＤ１０５０、ＣＰＵ１０６０およびＲＯＭ１０７０は、バス１０１０などで接続される。【００８８】
ＲＯＭ１０７０には、上記の実施例１に示した通信装置１と同様の機能を発揮する通信制御プログラム、つまり、図１８に示すように、受信プログラム１０７１、信号生成プログラム１０７２、送信プログラム１０７３が予め記憶されている。なお、これらのプログラム１０７１〜１０７３については、図１に示した通信装置１の各構成要素と同様、適宜統合または分散してもよい。【００８９】
そして、ＣＰＵ１０６０が、これらのプログラム１０７１〜１０７３をＲＯＭ１０７０から読み出して実行することで、図１８に示すように、各プロセスとして機能するようになる。すなわち、受信プロセス１０６１、信号生成プロセス１０６２、送信プロセス１０６３が機能するようになる。なお、各プロセス１０６１〜１０６３は、図１に示した受信部２、信号生成部３、送信部４にそれぞれ対応する。【００９０】
なお、上記各プログラム１０７１〜１０７３は、必ずしも最初からＲＯＭ１０７０に記憶させておく必要は無く、他の記憶媒体や記憶装置に各プログラムを記憶させておき、コンピュータ１０００がこれらから各プログラムを読み出して実行するようにしてもよい。他の記憶媒体や記憶装置とは、例えば、コンピュータ１０００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」である。また、他の記憶媒体や記憶装置とは、例えば、コンピュータ１０００の内外に備えられるＨＤＤなどの「固定用物理媒体」である。また、他の記憶媒体や記憶装置とは、公衆回線、インターネット、ＬＡＮ、ＷＡＮなどを介してコンピュータ１０００に接続される「他のコンピュータ（またはサーバ）」である。
【符号の説明】
【００９１】
１  通信装置
２  受信部
３  信号生成部
４  送信部
１００、１００ａ  基地局
２００、２００ａ  中継局
１１０、２１０  無線受信部
１２０、２２０  受信信号復号部
１３０、２３０  ＡＣＫ／ＮＡＣＫ信号送信タイミング決定部
１４０、２４０  ＡＣＫ／ＮＡＣＫ信号パターン決定部
１５０、２５０  ＡＣＫ／ＮＡＣＫ信号生成部
１６０、２７０  送信信号生成部
１７０、２８０  無線送信部
３００  移動局
【図１】
2011111212.tif 000003
【図２】
2011111212.tif 000004
【図３】
2011111212.tif 000005
【図４】
2011111212.tif 000006
【図５】
2011111212.tif 000007
【図６】
2011111212.tif 000008
【図７】
2011111212.tif 000009
【図８】
2011111212.tif 000010
【図９】
2011111212.tif 000011
【図１０】
2011111212.tif 000012
【図１１】
2011111212.tif 000013
【図１２】
2011111212.tif 000014
【図１３】
2011111212.tif 000015
【図１４】
2011111212.tif 000016
【図１５】
2011111212.tif 000017
【図１６】
2011111212.tif 000018
【図１７】
2011111212.tif 000019
【図１８】
2011111212.tif 000020
【国際調査報告】
2011111212.tif 000021
2011111212.tif 000022
2011111212.tif 000023
2011111212.tif 000024